(57)【要約】 【課題】張りめぐらし作業を容易且つ確実に行うことができると共に、刺状片が定位置に丈夫に突設されてなるプラスチック製刺状片を有する有刺線を提供する。【解決手段】可撓性を有する線材２に所要間隔を置いて、例えば４０ｍｍの間隔を置いて、刺状部材３をプラスチックの射出成形により設ける。刺状部材３は、線材２に設けられた凹凸部７を埋設状態としてなる台座部９の外周面１０に刺状片１１が１本乃至複数本、例えば４本突設されている。又台座部９の両端部が、直角端面１３，１３として形成されている。【選択図】図４
2009213397.tif 000002
【特許請求の範囲】
【請求項１】
可撓性を有する線材に所要間隔を置いて、刺状部材がプラスチックの射出成形により設けられてなり、該刺状部材は、前記線材に設けられた凹凸部を埋設状態としてなる台座部の外周面に刺状片が突設されてなることを特徴とするプラスチック製刺状片を有する有刺線。
【請求項２】
前記台座部は、前記線材の長さ方向で見た両端部が、該長さ方向に直交する直角端面として形成されていることを特徴とする請求項１記載のプラスチック製刺状片を有する有刺線。
【発明の詳細な説明】
【技術分野】
【０００１】
本発明は、鳥獣を忌避するため等、従来の有刺鉄線におけると略同様の分野で使用でき、主として家庭用に用いて好適なプラスチック製刺状片を有する有刺線に関するものである。
【背景技術】
【０００２】
鳥獣を忌避するために用いられるプラスチック製の有刺線として、例えば特開平８−２３８６１号公報が開示する鳥獣除け用有刺紐が提案されている。該有刺紐ａは、図２３に示すように、紐状体ｂに刺状片ｃをプラスチックの一体成形で設けた構成を有していた。  
【０００３】
しかしながら該有刺紐ａによるときは、紐状体ｂと刺状片ｃとがプラスチックの一体成形で形成されていたため、刺状片ｃを丈夫に突設するためには該紐状体ｂをある程度の太さに形成せざるを得なかった。それ故、該有刺紐ａを田畑や果樹園等の防御対象区域の周囲に張りめぐらせる際、紐状体ｂが屈曲しにくく作業性が悪い問題があった他、該紐状体ｂは柔軟性に乏しいために、屈曲させた際に折れやすい問題もあった。この場合、紐状体ｂの可撓性を良好にするために該紐状体ｂを細くしたとすれば、該紐状体ｂに対する刺状片ｃの根元部分の強度が不足して刺状片ｃが折れやすい問題があった。
【０００４】
このように、紐状体と刺状片とをプラスチックで一体成形してなる従来の有刺紐は、紐状体の良好な可撓性と刺状片の強度的安定性の双方を満足させるものではなく、改良の余地があった。
【０００５】
【特許文献１】特開平８−２３８６１号公報
【発明の開示】
【発明が解決しようとする課題】
【０００６】
本発明は、前記従来の問題点に鑑みて開発されたものであり、張りめぐらし作業を容易且つ確実に行うことができると共に、刺状片が定位置に丈夫に突設されてなるプラスチック製刺状片を有する有刺線の提供を課題とするものである。
【課題を解決するための手段】
【０００７】
前記課題を解決するため本発明は以下の手段を採用する。
即ち本発明に係るプラスチック製刺状片を有する有刺線（以下有刺線という）は、可撓性を有する線材に所要間隔を置いて、刺状部材がプラスチックの射出成形により設けられてなり、該刺状部材は、前記線材に設けられた凹凸部を埋設状態としてなる台座部の外周面に刺状片が突設されてなることを特徴とするものである。前記台座部は、前記線材の長さ方向で見た両端部を、該長さ方向に直交する直角端面として形成するのがよい。
【発明の効果】
【０００８】
本発明は以下の如き優れた効果を奏する。
本発明に係る有刺線は、刺状片がプラスチック製であるために、従来の有刺鉄線に比して危険性が低く、家庭においても安全に使用できるのはもとより、以下の如き優れた効果を奏する。
【０００９】
(1) 本発明に係る有刺線は、前記した従来の有刺線におけるように、紐状体と刺状片とをプラスチックで一体に成形するのではなく、刺状部材を線材にプラスチックの射出成形で設ける構成を採用している。従って本発明によるときは、刺状部材間に存する中間線状部分が、該線材の特性に起因して、細くても丈夫で、屈曲容易である。かかることから、有刺線の張りめぐらし作業を容易且つ確実に行うことができ、鳥獣の忌避を効果的に行うことができる。
【００１０】
(2) 本発明に係る有刺線を構成する刺状部材は、前記線材に設けられた凹凸部を埋設状態としてなる台座部の外周面に刺状片を突設して構成されている。従って本発明によるときは、線材が細くても台座部をより太く形成することができ、面積の大なる外周面で、その基端（根元部）を太くして刺状片を丈夫に突設できることになる。又前記台座部が、凹凸部を埋設状態として形成されているために、該刺状部材を線材の所要部位に強固に固定でき、該刺状部材が線材の長さ方向で移動する恐れがない。
かかることから本発明によるときは、耐久性に優れて鳥獣の忌避効果の大きい有刺線を提供できることになる。
【００１１】
(3) 又本発明に係る有刺線は、線材に対して行う射出成形が刺状部材だけであるため、生産性向上を期し得る。
【００１２】
(4) 特に、台座部の、線材の長さ方向の両端部を、該長さ方向に直交する直角端面として形成する場合は、隣り合う刺状部材間に存する中間線状部分と交差するように他の部材（他の有刺線の中間線状部分等）が配設されたとき、この部材が該中間線状部分の長さ方向で移動したとしても、該部材が前記直角端面に当たることにはなっても該直角端面を越えて前記刺状片に当たるのは防止される。それ故、該部材が不用意に刺状片に当たることによって該刺状片を損傷する恐れがない。
【実施例１】
【００１３】
図１は本発明に係る有刺線１を示すものであり、可撓性を有する線材２に、所要間隔を置いて、プラスチックの射出成形によって刺状部材３を設けた構成を有している。
【００１４】
該可撓性を有する線材２は、本実施例においては図２に示すように、鋼線からなる芯線５を樹脂被覆してなる２ｍｍ程度の径を有する樹脂被覆線２ａとして構成されており、その表面６には、線材２の長さ方向に連続してエンボス加工が施されて凹凸部７が設けられている。そして前記刺状部材３は図２〜４に示すように、該凹凸部７を周方向に取り囲んで該凹凸部７を埋設状態としてなる円柱状の台座部９の外周面１０に、例えば９０度の角度ピッチで、先細化する刺状片１１の４本が突設されており、該刺状部材３は、図１に示すように、線材２の長さ方向に例えば４０ｍｍ間隔で設けられている。
【００１５】
本実施例においては、円柱状を呈する前記台座部９の、線材２の長さ方向で見た両端部１２，１２が、図２〜３に示すように、該長さ方向に直交する直角端面１３，１３として形成されている。該刺状部材３の各部の寸法を例示すれば、該台座部９の直径Ｌ１は５ｍｍに設定されると共にその長さＬ２は１０ｍｍに設定されている。そして前記刺状片１１は、その基端部１４の径Ｌ３が３ｍｍに設定されると共に、その突出長さＬ４は８ｍｍに設定されている。
【００１６】
かかる構成を有する刺状部材３の製造は、図５〜７に模式的に示すような二分割の分割型１５ａ，１５ａからなる射出成形金型１５を用いて行うことができる。なお図７は、金型を開いた状態の一方の分割型１５ａを示す。該射出成形金型１５は、前記線材２の例えば４０ｃｍ部分について、前記刺状部材３の１０個を同時に射出成形するものであり、その閉鎖状態で、該刺状部材３を射出成形するための型孔１６の１０個が、水平方向に４０ｍｍ間隔で配設されると共に、図６（Ｂ）に示すように、前記線材２を水平方向に挿通させるための直線状を呈する収容孔１７が、前記型孔１６に連通する状態で水平に配設されている。
【００１７】
然して、該線材２を図５、図６、図７に示すように、前記各収容孔１７と前記各型孔１６に水平状態に挿通せしめ、これをピンと引っ張った状態に保持して、図示しない注入口から、例えばポリプロピレンやポリエチレン、ポリアミド等のプラスチックの溶融物を各型孔１６に射出する。図７においては、半割りの収容孔１７ａと半割りの型孔１６ａが示されている。その後脱型することにより、所要個数例えば１０個の刺状部材３が線材２に設けられた状態となる。その後、刺状部材３が設けられた線材２を射出成形金型１５から取り出し、前記と同様にして、前記線材２の、該刺状部材３が設けられた部分に続く部分を、閉鎖した射出成形金型１５に挿通状態に配設する。然る後、前記と同様にして、注入口よりプラスチックを射出して後に脱型する。これを順次繰り返すことによって、刺状部材３が線材２に所要間隔（例えば５０ｍｍ間隔）で設けられてなる有刺線１を、該刺状部材３が並設された状態で製造できる。このように製造された有刺線１は、例えば図１に示すように、２０〜３０ｍの巻回物１９にして販売される。
【００１８】
このようにして設けられた刺状部材３は、図３〜４に示すように、前記台座部９が前記凹凸部７を埋設状態にして形成されているため、線材２の長さ方向で移動する恐れがなく、該線材２に確実に位置固定されることになる。
【００１９】
これによって、図８に示すような、隣り合う刺状部材３，３間の間隔が所要に（本実施例においては５０ｍｍに）設定されると共に隣り合う刺状部材３，３間をなす中間線状部分１９が可撓性を有する前記有刺線１が構成されることになる。そして刺状部材３の夫々は、その台座部９が、前記線材２の前記凹凸部７を埋設状態にして成形されるため、図２〜４に示すように、円柱状を呈する前記台座部９の直径は、自ずから線材２の径よりも大きく形成され、従って、前記台座部９の外周面１０の面積は比較的大きく確保される。かかることから、該外周面１０で突設された刺状片１１の基端部（根元部）１４を太く形成でき、それ故、該刺状片１１を丈夫に突設できることになる。そして、該台座部９の長さ方向で見た両端部１２，１２は、前記のように、線材の長さ方向に直交する直角端面１３，１３として形成されている。
【００２０】
かかることから例えば図９に示すように、隣り合う刺状部材３，３間に存する中間線状部分１９と交差するように他の部材（他の有刺線の中間線材部分等）２０が配設されたとき、この部材２０が、図９に矢印で示すように該中間線状部分１９の長さ方向で移動したとしても、該部材２０が、図１０に示すように前記直角端面１３に当たることにはなっても、該直角端面１３を越えて前記刺状片１１に当たるのは防止される。それ故、該部材２０が不用意に刺状片１１に当たることによって該刺状片１１を損傷する恐れがない。
【００２１】
図１１は、かかる構成を有する有刺線１を用いて構築した柵状構造物２４を示すものである。例えば家庭菜園や花壇、庭等を囲むように所要間隔を置いて立設された支柱１８に、上下所要間隔で（例えば５〜１０ｃｍ程度の小間隔で）横方向に有刺線１を架け渡し、該横方向の有刺線１ａを支柱１８に巻き付けたり結着する等の手段で固定することによって有刺線１を張りめぐらして該柵状構造物２４が構築されてなり、これによって、猫や犬等が家庭菜園や花壇等に進入するのを防止している。
【００２２】
この場合、図１２に示すように、囲みの上面２１にも有刺線１を配設して鳥の被害を防ぐこともある。図１２においては、該上面２１の有刺線１ｂが、対向状態にある上段の有刺線１ａ１間に架け渡されると共に、その水平線部分２２の両側の中間線状部分１９が該上段の有刺線１ａ１の中間線状部分１９で支持されると共に、その垂直線部分２３が、上下並列状態の横方向の有刺線１ａの各中間線状部分１９を横切るように下方に延長され、該垂直線部分２３の下端部２５がアンカーピン２６等で地面２７に固定されている。
【００２３】
このように配設された上面の有刺線１ｂが、鳥が接触する等して横方向に移動したとき、該上面の有刺線１ｂの中間線状部分１９は、図１３に示すように前記横方向の有刺線１ａの前記台座部９の前記直角端面１３には当たっても、該直角端面１３を越えて前記刺状片１１に当たる恐れはない。このように、該台座部９の直角端面１３は、前記刺状片１１を保護する作用も発揮するのである。
【実施例２】
【００２４】
本発明は、前記実施例で示したものに限定されるものでは決してなく、「特許請求の範囲」の記載内で種々の設計変更が可能であることはいうまでもない。その一例を挙げれば次のようである。
【００２５】
(1) 図１４〜１８は本発明に係る有刺線１の他の実施例を示すものであり、線材２の構成が前記実施例における場合と異なる。
【００２６】
図１４に示す有刺線１は、縒り紐２ｂからなる可撓性を有する線材２に、所要間隔を置いて、例えば４０ｍｍ間隔を置いて、プラスチックの射出成形によって刺状部材３を設けた構成を有している。該刺状部材３は前記と同様の構成を有しており、その台座部９は、図１４（Ｂ）に示すように、該縒り紐２ｂの表面の凹凸部７を埋設状態としてなる。
【００２７】
図１５に示す有刺線１は、金属ワイヤ２ｃからなる可撓性を有する線材２を用いて構成されており、該線材２は、所要間隔を置いて、例えば４０ｍｍ間隔を置いて、対向側を押し潰して形成された平坦面２９，２９からなる凹凸部７が設けられ、該凹凸部７が存する部位において、プラスチックの射出成形により刺状部材３が設けられている。該刺状部材３は前記と同様の構成を有し、その台座部９は、図１５（Ｂ）に示すように、該金属ワイヤ２ｃの表面の凹凸部７を埋設状態としてなる。
【００２８】
図１６に示す有刺線１は、鋼線２ｄからなる可撓性を有する線材２を用いて構成されており、該線材２は、所要間隔を置いて、例えば４０ｍｍ間隔を置いて、凹部３０からなる凹凸部７が設けられ、該凹凸部７が存する部位において、プラスチックの射出成形により刺状部材３が設けられている。該刺状部材３は前記と同様の構成を有し、その台座部９は、図１６（Ｂ）に示すように、該凹凸部７を埋設状態としてなる。
【００２９】
図１７に示す有刺線１は、鋼線２ｄからなる可撓性を有する線材２を用いて構成されており、該線材２は、所要間隔を置いて、例えば４０ｍｍ間隔を置いて、該線材２を貫通する孔部３１からなる凹凸部７が設けられ、該凹凸部７が存する部位において、プラスチックの射出成形により刺状部材３が設けられている。該刺状部材３は前記と同様の構成を有し、その台座部９は、該凹凸部７を埋設状態としてなり、該台座部９は、図１７（Ｂ）に示すように、該孔部３１に介在する充填プラスチック部３２と一体化されている。
【００３０】
図１８に示す有刺線１は、表面平滑な例えばプラスチック製等の線状材２ｅからなる可撓性を有する線材２を用いて構成されており、該線材２を、前記と同様構成の射出成形金型にピンと張った挿通状態として後、前記と同様の型孔内で該線材２を押棒等でＵ字状に屈曲させる等して凹凸部７を形成し、この状態でプラスチックの射出成形を行うことより前記と同様構成の刺状部材３を形成してなる。該刺状部材３の台座部９は、図１８（Ｂ）に示すように、該凹凸部７を埋設状態としてなる。
【００３１】
図１４〜１８に示す有刺線１にあっては、その台座部９が前記凹凸部７を埋設状態にして形成されているため、前記刺状部材３は、線材２の長さ方向で移動する恐れがなく該線材２に確実に位置固定されて設けられることになる。
【００３２】
(2) 前記刺状部材３を構成する台座部９は、線材２に設けられた凹凸部７を埋設状態にして設けられ、且つ、その外周面１０に刺状片１１が突設されるものであれば、前記した円柱状を呈するものには限られず、角柱状等を呈するものであってもよい。又、該台座部９の両端部１２，１２は、前記した直角端面１３，１３には限られず、円弧状突面等に形成されてもよい。
【００３３】
(3) 図１９〜２１は、本発明に係る有刺線１のその他の実施例を示すものであり、図１９においては台座部９の外周面１０に３本の刺状片１１，１１，１１が突設されており、図２０においては台座部９の外周面１０に２本の刺状片１１，１１が突設されており、又、図２１においては台座部９の外周面１０に１本の刺状片１１が突設されている。
【００３４】
(4) 前記線材２としては、ロープ状物や、金属製の線材とプラスチック製の線材とを縒り合わせたもの等、可撓性（紐状物等の屈曲容易性を有するものを含む）を有する各種の線材を採用できる。
【００３５】
(5) 本発明に係る有刺線１は、切断されにくくするために、例えば図２２に示すように、有刺線１を鋼線３３と縒り合わせて使用されることもある。
【００３６】
(6) 本発明に係る有刺線１は、前記した家庭菜園や花壇、庭の周囲に配設されて鳥獣忌避に使用できる他、塀の上部や家屋の周囲、屋根面、ベランダ等の手摺りの上部等に配設されて鳥獣忌避に使用される等、家庭用に使用して好適であるが、農耕地や果樹園、魚類等の養殖場、その他、鳥獣の忌避が求められる各種用途に広く使用できるものである。
【００３７】
(7) 前記刺状部材３の配置間隔や、前記台座部９の外周面１０に突設する刺状片１１の本数、刺状片１１の形状や長さ、硬さ、鋭利さ、又、前記線材２の形状や太さ、柔軟性等は、忌避対象となる鳥獣の種類や習性等に応じて適宜設定される。
【図面の簡単な説明】
【００３８】
【図１】本発明に係る有刺線の巻回物を、その一部を巻き戻した状態で示す斜視図である。
【図２】有刺線を示す一部断面斜視図である。
【図３】その縦断面図である。
【図４】その横断面図である。
【図５】有刺線を製造する射出成形金型を模式的に示す斜視図である。
【図６】射出成形金型を線材を挿通した状態で示す横断面図と、射出成形金型を示す部分正面図である。
【図７】一方の分割型を、線材を配設した状態で示す正面図である。
【図８】有刺線を示す斜視図である。
【図９】交差する有刺線の中間線状部分相互が当接状態にある斜視図である。
【図１０】中間線状部分が台座部の直角端面に当たった状態を示す正面図である。
【図１１】有刺線を用いて構築した、家庭菜園や花壇、庭等を囲む柵状構造物を示す斜視図である。
【図１２】柵状構造物の囲みの上面にも有刺線を配設した状態を示す部分斜視図である。
【図１３】上面の有刺線の中間線状部分が、横方向の有刺線の台座部の直角端面に当たった状態を示す正面図である。
【図１４】有刺線の他の実施例を示す斜視図と縦断面図である。
【図１５】有刺線のその他の実施例を示す斜視図と縦断面図である。
【図１６】有刺線のその他の実施例を示す斜視図と縦断面図である。
【図１７】有刺線のその他の実施例を示す斜視図と縦断面図である。
【図１８】有刺線のその他の実施例を示す斜視図と縦断面図である。
【図１９】台座部の外周面に３本の刺状片が突設されてなる有刺線を示す斜視図と横断面図である。
【図２０】台座部の外周面に２本の刺状片が突設されてなる有刺線を示す斜視図と横断面図である。
【図２１】台座部の外周面に１本の刺状片が突設されてなる有刺線を示す斜視図と横断面図である。
【図２２】有刺線を鋼線と縒り合わせてなる有刺線の使用状態を示す斜視図である。
【図２３】従来の有刺紐を示す側面図である。
【符号の説明】
【００３９】
１  有刺線
２  線材
３  刺状部材
５  芯線
７  凹凸部
９  台座部
１０  外周面
１１  刺状片
１３  直角端面
１５  射出成形金型
１６  型孔
１７  収容孔
２２  水平線部分
２３  垂直線部分
２９  平坦面
３０  凹部
３１  孔部
【図１】
2009213397.tif 000003
【図２】
2009213397.tif 000004
【図３】
2009213397.tif 000005
【図４】
2009213397.tif 000006
【図５】
2009213397.tif 000007
【図６】
2009213397.tif 000008
【図７】
2009213397.tif 000009
【図８】
2009213397.tif 000010
【図９】
2009213397.tif 000011
【図１０】
2009213397.tif 000012
【図１１】
2009213397.tif 000013
【図１２】
2009213397.tif 000014
【図１３】
2009213397.tif 000015
【図１４】
2009213397.tif 000016
【図１５】
2009213397.tif 000017
【図１６】
2009213397.tif 000018
【図１７】
2009213397.tif 000019
【図１８】
2009213397.tif 000020
【図１９】
2009213397.tif 000021
【図２０】
2009213397.tif 000022
【図２１】
2009213397.tif 000023
【図２２】
2009213397.tif 000024
【図２３】
2009213397.tif 000025